【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
下記式（１）で示される置換ヒドロキシフェニル化合物であって、酸化還元電位の還元側の値がＳＣＥ参照電極（飽和カロメル電極）に対して−０．２０Ｖ〜−０．９０Ｖである置換ヒドロキシフェニル化合物。
【化１】
2007148292.tif 000001
（上記式（１）中、Ｒ１及びＲ５は、水素原子又はヒドロキシメチル基を示し、Ｒ２〜Ｒ４は、水素原子、ヒドロキシメチル基又は電子受容性部位を有する基を示し、Ｒ１及びＲ５の少なくとも一方は、ヒドロキシメチル基であり、Ｒ２〜Ｒ４の少なくとも１個は、電子受容性部位を有する基である。）
【請求項２】
酸化還元電位の還元側の値がＳＣＥ参照電極（飽和カロメル電極）に対して−０．２０Ｖ〜−０．６０Ｖである請求項１に記載の置換ヒドロキシフェニル化合物。
【請求項３】
下記式（２）〜（４）のいずれかで示される請求項１又は２に記載の置換ヒドロキシフェニル化合物。
【化２】
2007148292.tif 000002
（上記式（２）〜（４）中、Ａ１〜Ａ３は、前記式（１）のＲ１〜Ｒ５のいずれか１個を除いた１価の基である。Ｘ１〜Ｘ３は、炭素数１〜８の置換基を有していてもよく枝分かれしてもよい脂肪族炭化水素基又は置換基を有していてもよい芳香族炭化水素基を示す。ｌ、ｍ、ｎは、０又は１を示す。Ｚは、電子受容性部位を有する基を示す。）
【請求項４】
前記式（２）〜（４）のＺが、下記式（５）で示される構造からＹ１〜Ｙ６のいずれか１〜３個（前記置換ヒドロキシフェニル化合物が前記式（２）で示される場合は１個、前記置換ヒドロキシフェニル化合物が前記式（３）で示される場合は２個、前記置換ヒドロキシフェニル化合物が前記式（４）で示される場合は３個）を除いた１〜３価の基である請求項３に記載の置換ヒドロキシフェニル化合物。
【化３】
2007148292.tif 000003
（上記式（５）中、Ｙ１及びＹ２は、置換若しくは無置換アリール基又は置換若しくは無置換アルキル基を示し、Ｙ３〜Ｙ６は、置換若しくは無置換アリール基、置換若しくは無置換アルキル基、ニトロ基、シアノ基、ハロゲン原子又は水素原子を示す。）
【請求項５】
前記式（２）〜（４）のＺが、下記式（６）で示される構造からＹ７〜Ｙ１６のいずれか１〜３個（前記置換ヒドロキシフェニル化合物が前記式（２）で示される場合は１個、前記置換ヒドロキシフェニル化合物が前記式（３）で示される場合は２個、前記置換ヒドロキシフェニル化合物が前記式（４）で示される場合は３個）を除いた１〜３価の基である請求項３に記載の置換ヒドロキシフェニル化合物。
【化４】
2007148292.tif 000004
（上記式（６）中、Ｙ７及びＹ８は、酸素原子、Ｃ（ＣＮ）２、ＮＲ、Ｃ（ＣＮ）Ｒ又はＣＲ２（Ｒは、置換若しくは無置換アリール基又は置換若しくは無置換アルキル基を示す。）を示し、Ｙ９〜Ｙ１６は、置換若しくは無置換アリール基、置換若しくは無置換アルキル基、ニトロ基、シアノ基、ハロゲン原子又は水素原子を示す。）
【請求項６】
前記式（２）〜（４）のＺが、下記式（７）で示される構造からＹ１７〜Ｙ２４のいずれか１〜３個（前記置換ヒドロキシフェニル化合物が前記式（２）で示される場合は１個、前記置換ヒドロキシフェニル化合物が前記式（３）で示される場合は２個、前記置換ヒドロキシフェニル化合物が前記式（４）で示される場合は３個）を除いた１〜３価の基である請求項３に記載の置換ヒドロキシフェニル化合物。
【化５】
2007148292.tif 000005
（上記式（７）中、Ｙ１７及びＹ１８は、酸素原子、Ｃ（ＣＮ）２、ＮＲ、Ｃ（ＣＮ）Ｒ又はＣＲ２（Ｒは、置換若しくは無置換アリール基又は置換若しくは無置換アルキル基を示す。）を示し、Ｙ１９〜Ｙ２４は、置換若しくは無置換アリール基、置換若しくは無置換アルキル基、ニトロ基、シアノ基、ハロゲン原子又は水素原子を示す。）
【請求項７】
前記式（２）〜（４）のＺが、下記式（８）で示される構造からＹ２５〜Ｙ３２のいずれか１〜３個（前記置換ヒドロキシフェニル化合物が前記式（２）で示される場合は１個、前記置換ヒドロキシフェニル化合物が前記式（３）で示される場合は２個、前記置換ヒドロキシフェニル化合物が前記式（４）で示される場合は３個）を除いた１〜３価の基である請求項３に記載の置換ヒドロキシフェニル化合物。
【化６】
2007148292.tif 000006
（上記式（８）中、Ｙ２５及びＹ２６は、酸素原子、Ｃ（ＣＮ）ＣＯＲ、Ｃ（ＣＮ）ＣＯＯＲ、Ｃ（ＣＮ）Ｒ又はＣ（ＣＯＯＲ）２（Ｒは、置換若しくは無置換アリール基又は置換若しくは無置換アルキル基を示す。）を示し、Ｙ２７〜Ｙ３２は、置換若しくは無置換アリール基、置換若しくは無置換アルキル基、ニトロ基、シアノ基、ハロゲン原子又は水素原子を示す。）
【請求項８】
請求項１〜７のいずれかに記載の置換ヒドロキシフェニル化合物の硬化物を含有することを特徴とする電子写真感光体。
【請求項９】
支持体、該支持体上に形成された中間層及び該中間層上に形成された感光層を有する電子写真感光体において、該中間層が、請求項１〜７のいずれかに記載の置換ヒドロキシフェニル化合物の硬化物を含有することを特徴とする電子写真感光体。
【請求項１０】
請求項８又は９に記載の電子写真感光体と、該電子写真感光体の表面を帯電させる帯電手段、該電子写真感光体の表面に形成された静電潜像をトナーで現像して該電子写真感光体の表面にトナー像を形成する現像手段、及び、該電子写真感光体の表面の転写残りトナーを除去するクリーニング手段からなる群より選ばれる少なくとも１つの手段とを一体に支持し、電子写真装置本体に着脱自在であることを特徴とするプロセスカートリッジ。
【請求項１１】
請求項８又は９に記載の電子写真感光体、該電子写真感光体の表面を帯電させる帯電手段、帯電した電子写真感光体の表面に対して露光を行って該電子写真感光体の表面に静電潜像を形成する露光手段、該電子写真感光体の表面に形成された静電潜像をトナーで現像して該電子写真感光体の表面にトナー像を形成する現像手段、及び、該電子写真感光体の表面に形成されたトナー像を転写材に転写する転写手段を備えることを特徴とする電子写真装置。
【手続補正２】
【補正対象書類名】明細書
【補正対象項目名】００１０
【補正方法】変更
【補正の内容】
【００１０】
本発明に従って、下記式（１）で示される置換ヒドロキシフェニル化合物であって、酸化還元電位の還元側の値がＳＣＥ参照電極（飽和カロメル電極）に対して−０．２０Ｖ〜−０．９０Ｖである置換ヒドロキシフェニル化合物が提供される。
【手続補正３】
【補正対象書類名】明細書
【補正対象項目名】００１２
【補正方法】変更
【補正の内容】
【００１２】
上記式（１）中、Ｒ１及びＲ５は、水素原子又はヒドロキシメチル基を示し、Ｒ２〜Ｒ４は、水素原子、ヒドロキシメチル基又は電子受容性部位を有する基を示し、Ｒ１及びＲ５の少なくとも一方は、ヒドロキシメチル基であり、Ｒ２〜Ｒ４の少なくとも１個は、電子受容性部位を有する基である。
【手続補正４】
【補正対象書類名】明細書
【補正対象項目名】００１３
【補正方法】変更
【補正の内容】
【００１３】
また、本発明に従って、上記置換ヒドロキシフェニル化合物の硬化物を含有することを特徴とする電子写真感光体が提供される。
また、本発明に従って、支持体、該支持体上に形成された中間層及び該中間層上に形成された感光層を有する電子写真感光体において、該中間層が、上記置換ヒドロキシフェニル化合物の硬化物を含有することを特徴とする電子写真感光体が提供される。
【手続補正５】
【補正対象書類名】明細書
【補正対象項目名】００１５
【補正方法】変更
【補正の内容】
【００１５】
本発明によれば、優れた新規な化合物及び、この化合物の硬化物を含有する繰り返し特性や画像特性が優れた、電子写真感光体を提供することができる。
【手続補正６】
【補正対象書類名】明細書
【補正対象項目名】００２５
【補正方法】変更
【補正の内容】
【００２５】
上記式（２）〜（４）中、Ａ１〜Ａ３は、前記式（１）のＲ１〜Ｒ５のいずれか１個を除いた１価の基である。Ｒ１及びＲ５は、水素原子又はヒドロキシメチル基を示し、Ｒ２〜Ｒ４は、水素原子、ヒドロキシメチル基又は電子受容性部位を有する基を示し、Ｒ１及びＲ５の少なくとも一方は、ヒドロキシメチル基であり、Ｒ２〜Ｒ４の少なくとも１個は、電子受容性部位を有する基である。
【手続補正７】
【補正対象書類名】明細書
【補正対象項目名】００２６
【補正方法】変更
【補正の内容】
【００２６】
Ｘ１〜Ｘ３は、炭素数１〜８の置換基を有していてもよく枝分かれしてもよい脂肪族炭化水素基又は置換基を有していてもよい芳香族炭化水素基を示す。
【手続補正８】
【補正対象書類名】明細書
【補正対象項目名】００２７
【補正方法】変更
【補正の内容】
【００２７】
ｌ、ｍ、ｎは、０又は１を示す。Ｚは、電子受容性部位を有する基を示す。
【手続補正９】
【補正対象書類名】明細書
【補正対象項目名】００２８
【補正方法】変更
【補正の内容】
【００２８】
前記式（２）〜（４）のＺは、下記式（５）で示される構造からＹ１〜Ｙ６のいずれか１〜３個、下記式（６）で示される構造からＹ７〜Ｙ１６のいずれか１〜３個、下記式（７）で示される構造からＹ１７〜Ｙ２４のいずれか１〜３個、又は、下記式（８）で示される構造からＹ２５〜Ｙ３２のいずれか１〜３個（前記置換ヒドロキシフェニル化合物が前記式（２）で示される場合は１個、前記置換ヒドロキシフェニル化合物が前記式（３）で示される場合は２個、前記置換ヒドロキシフェニル化合物が前記式（４）で示される場合は３個）を除いた１〜３価の基である。
【手続補正１０】
【補正対象書類名】明細書
【補正対象項目名】００３０
【補正方法】変更
【補正の内容】
【００３０】
上記式（５）中、Ｙ１及びＹ２は、置換若しくは無置換アリール基又は置換若しくは無置換アルキル基を示し、Ｙ３〜Ｙ６は、置換若しくは無置換アリール基、置換若しくは無置換アルキル基、ニトロ基、シアノ基、ハロゲン原子又は水素原子を示す。
【手続補正１１】
【補正対象書類名】明細書
【補正対象項目名】００３２
【補正方法】変更
【補正の内容】
【００３２】
上記式（６）中、Ｙ７及びＹ８は、酸素原子、Ｃ（ＣＮ）２、ＮＲ、Ｃ（ＣＮ）Ｒ又はＣＲ２（Ｒは、置換若しくは無置換アリール基又は置換若しくは無置換アルキル基を示す。）を示し、Ｙ９〜Ｙ１６は、置換若しくは無置換アリール基、置換若しくは無置換アルキル基、ニトロ基、シアノ基、ハロゲン原子又は水素原子を示す。
【手続補正１２】
【補正対象書類名】明細書
【補正対象項目名】００３４
【補正方法】変更
【補正の内容】
【００３４】
上記式（７）中、Ｙ１７及びＹ１８は、酸素原子、Ｃ（ＣＮ）２、ＮＲ、Ｃ（ＣＮ）Ｒ又はＣＲ２（Ｒは、置換若しくは無置換アリール基又は置換若しくは無置換アルキル基を示す。）を示し、Ｙ１９〜Ｙ２４は、置換若しくは無置換アリール基、置換若しくは無置換アルキル基、ニトロ基、シアノ基、ハロゲン原子又は水素原子を示す。
【手続補正１３】
【補正対象書類名】明細書
【補正対象項目名】００３６
【補正方法】変更
【補正の内容】
【００３６】
上記式（８）中、Ｙ２５及びＹ２６は、酸素原子、Ｃ（ＣＮ）ＣＯＲ、Ｃ（ＣＮ）ＣＯＯＲ、Ｃ（ＣＮ）Ｒ又はＣ（ＣＯＯＲ）２（Ｒは、置換若しくは無置換アリール基又は置換若しくは無置換アルキル基を示す。）を示し、Ｙ２７〜Ｙ３２は、置換若しくは無置換アリール基、置換若しくは無置換アルキル基、ニトロ基、シアノ基、ハロゲン原子又は水素原子を示す。